(57)【要約】【課題】通常の照明状態と、演出等に用いられる特殊な照明状態と、を簡便に切り替えることが可能な照明システムを提供する。【解決手段】照明システムは、光源と、光源の明るさの設定値に相当する調光度に応じた直流電圧として、第１の電圧範囲内に属する第１の電圧値の直流電圧を光源に対して供給する調光器と、を有する。調光器は、所定の複数の照明状態の中からユーザにより選択された一の照明状態を示す直流電圧として、第１の電圧範囲の下限値よりも低い第２の電圧範囲内に属する第２の電圧値の直流電圧を光源に対して供給する。光源は、第２の電圧値の直流電圧を検出した場合に、一の照明状態に応じて明るさを時間的に変化させるための一の点灯関数を設定するとともに、第１の電圧値及び一の点灯関数に応じた明るさで発光するための動作を行う。【選択図】図１
2020161297.tif 000002
【特許請求の範囲】
【請求項１】
光源と、前記光源の明るさの設定値に相当する調光度に応じた直流電圧として、第１の電圧範囲内に属する第１の電圧値の直流電圧を前記光源に対して供給するように構成された調光器と、を有する照明システムであって、
前記調光器は、所定の複数の照明状態の中からユーザにより選択された一の照明状態を示す直流電圧として、前記第１の電圧範囲の下限値よりも低い第２の電圧範囲内に属する第２の電圧値の直流電圧を前記光源に対して供給し、
前記光源は、前記第２の電圧値の直流電圧を検出した場合に、前記一の照明状態に応じて明るさを時間的に変化させるための一の点灯関数を設定するとともに、前記第１の電圧値及び前記一の点灯関数に応じた明るさで発光するための動作を行う
ことを特徴とする照明システム。
【請求項２】
前記調光器は、電源が投入された直後に、前記第２の電圧値の直流電圧を前記光源に対して一定時間連続して供給し、
前記光源は、前記調光器から供給される前記第２の電圧値の直流電圧を一定時間連続して検出した場合に、前記所定の複数の照明状態各々に対応する複数の点灯関数の中から前記一の点灯関数を選択する
ことを特徴とする請求項１に記載の照明システム。
【発明の詳細な説明】
【技術分野】
【０００１】
本発明の実施形態は、照明システムに関する。
【背景技術】
【０００２】
直流電源からの電源供給状態に応じてＬＥＤ等の光源における光出力を制御するための方法に係る提案が従来行われている。
【０００３】
具体的には、例えば、特許文献１には、一対の直流供給線路を介して直流電源から入力される入力電圧に応じ、ＬＥＤ等の光源における光出力を制御する光源点灯装置が開示されている。
【先行技術文献】
【特許文献】
【０００４】
【特許文献１】日本国特許５０５８７７８号公報
【発明の概要】
【発明が解決しようとする課題】
【０００５】
実施形態は、通常の照明状態と、演出等に用いられる特殊な照明状態と、を簡便に切り替えることが可能な照明システムを提供する。
【課題を解決するための手段】
【０００６】
実施形態の照明システムは、光源と、前記光源の明るさの設定値に相当する調光度に応じた直流電圧として、第１の電圧範囲内に属する第１の電圧値の直流電圧を前記光源に対して供給するように構成された調光器と、を有する照明システムであって、前記調光器は、所定の複数の照明状態の中からユーザにより選択された一の照明状態を示す直流電圧として、前記第１の電圧範囲の下限値よりも低い第２の電圧範囲内に属する第２の電圧値の直流電圧を前記光源に対して供給し、前記光源は、前記第２の電圧値の直流電圧を検出した場合に、前記一の照明状態に応じて明るさを時間的に変化させるための一の点灯関数を設定するとともに、前記第１の電圧値及び前記一の点灯関数に応じた明るさで発光するための動作を行う。
【発明の効果】
【０００７】
実施形態の照明システムによれば、通常の照明状態と、演出等に用いられる特殊な照明状態と、を簡便に切り替えることができる。
【図面の簡単な説明】
【０００８】
【図１】実施形態に係る照明システムの要部の構成を示す図。
【図２】実施形態に係る照明システムに含まれるＬＥＤ電球の具体的な構成の一例を説明するための図。
【図３】実施形態に係る照明システムの動作に用いられる調光関数の一例を説明するための図。
【発明を実施するための形態】
【０００９】
以下、図面を参照して実施形態を説明する。
【００１０】
照明システム１は、図１に示すように、調光卓１０と、直流調光器２０と、複数のＬＥＤ電球３０と、を有して構成されている。図１は、実施形態に係る照明システムの要部の構成を示す図である。
【００１１】
調光卓１０は、ユーザの操作に応じ、ＬＥＤ電球３０各々の明るさの設定値に相当する調光度を０〜１００％のうちの所望の値に設定することが可能なフェーダーを有して構成されている。また、調光卓１０は、フェーダーにおいて設定された調光度を示す調光信号を生成するとともに、当該生成した調光信号を直流調光器２０へ出力するための動作を行うように構成されている。
【００１２】
直流調光器２０は、例えば、直流電源回路等を具備して構成されている。また、直流調光器２０には、応答時間設定部２１と、照明状態設定部２２と、が設けられている。
【００１３】
応答時間設定部２１は、ユーザの操作に応じ、調光卓１０から出力される調光信号により示される調光度が変更されたタイミングから、ＬＥＤ電球３０各々の明るさが変更後の調光度に対応する明るさに変化し終わるタイミングまでの時間に相当する応答時間を、所定の複数の応答時間のうちの一の応答時間に設定することが可能なスイッチを有して構成されている。
【００１４】
なお、本実施形態においては、前述の応答時間が、調光卓１０から出力される調光信号により示される調光度が０から１００％に変更されたタイミングから、ＬＥＤ電球３０各々の明るさが調光度１００％に対応する明るさに変化し終わるタイミングまでの時間として規定されるものとする。また、前述の応答時間は、ＬＥＤ電球３０とは異なる他の種類の照明器具（ハロゲンランプ等）における明るさの変化に係る応答性能に合わせた時間として設定されるものに限らず、例えば、後述の点灯装置３１の動作に係る応答性能に合わせた時間として設定されるものであってもよい。
【００１５】
照明状態設定部２２は、ユーザの操作に応じ、ＬＥＤ電球３０各々の明るさの変動パターンとして規定されるＬＥＤ電球３０各々の照明状態を、所定の複数の照明状態のうちの一の照明状態に設定することが可能なスイッチを有して構成されている。
【００１６】
直流調光器２０は、電源が投入された直後に、応答時間設定部２１において設定されている応答時間を検出するとともに、当該検出した応答時間に応じて設定した電圧値ＶＬＢの直流電圧をＬＥＤ電球３０各々に対して一定時間連続して供給するように構成されている。
【００１７】
電圧値ＶＬＢは、電圧範囲ＶＺＡ（後述）の下限値よりも低い電圧値として設定されるとともに、電圧範囲ＶＺＣ（後述）とは異なる電圧範囲ＶＺＢに属する電圧値として設定される。
【００１８】
電圧範囲ＶＺＢ内には、応答時間設定部２１の操作により設定可能な応答時間の種類の数に応じた異なる電圧範囲が予め設定されている。
【００１９】
具体的には、例えば、応答時間設定部２１の操作により設定可能な応答時間が応答時間ＴＲＡ及び応答時間ＴＲＢの２種類である場合には、当該応答時間ＴＲＡに対応する電圧範囲ＶＺＢＰと、当該応答時間ＴＲＢに対応する電圧範囲ＶＺＢＱと、が電圧範囲ＶＺＢ内に予め設定されている。そのため、直流調光器２０は、例えば、応答時間設定部２１において設定されている応答時間がＴＲＡであることを検出した場合には、電圧範囲ＶＺＢＰの中から選択した電圧値を電圧値ＶＬＢとして設定するとともに、当該電圧値ＶＬＢの直流電圧をＬＥＤ電球３０各々に対して一定時間連続して供給する。また、直流調光器２０は、例えば、応答時間設定部２１において設定されている応答時間がＴＲＢであることを検出した場合には、電圧範囲ＶＺＢＱの中から選択した電圧値を電圧値ＶＬＢとして設定するとともに、当該電圧値ＶＬＢの直流電圧をＬＥＤ電球３０各々に対して一定時間連続して供給する。
【００２０】
直流調光器２０は、電源が投入された直後に、照明状態設定部２２において設定されている照明状態を検出するとともに、当該検出した照明状態に応じた電圧値ＶＬＣの直流電圧をＬＥＤ電球３０各々に対して一定時間連続して供給するように構成されている。
【００２１】
電圧値ＶＬＣは、電圧範囲ＶＺＡ（後述）の下限値よりも低い電圧値として設定されるとともに、電圧範囲ＶＺＢとは異なる電圧範囲ＶＺＣに属する電圧値として設定される。
【００２２】
電圧範囲ＶＺＣ内には、照明状態設定部２２の操作により設定可能な照明状態の種類の数に応じた異なる電圧範囲が予め設定されている。
【００２３】
具体的には、例えば、照明状態設定部２２の操作により設定可能な照明状態が照明状態ＥＳＰ、照明状態ＥＳＱ及び照明状態ＥＳＲの３種類である場合には、当該照明状態ＥＳＰに対応する電圧範囲ＶＺＣＰと、当該照明状態ＥＳＱに対応する電圧範囲ＶＺＣＱと、照明状態ＥＳＲに対応する電圧範囲ＶＺＣＲと、が電圧範囲ＶＺＣ内に予め設定されている。そのため、直流調光器２０は、例えば、照明状態設定部２２において設定されている照明状態が照明状態ＥＳＰであることを検出した場合には、電圧範囲ＶＺＣＰの中から選択した電圧値を電圧値ＶＬＣとして設定するとともに、当該電圧値ＶＬＣの直流電圧をＬＥＤ電球３０各々に対して一定時間連続して供給する。また、直流調光器２０は、例えば、照明状態設定部２２において設定されている照明状態が照明状態ＥＳＱであることを検出した場合には、電圧範囲ＶＺＣＱの中から選択した電圧値を電圧値ＶＬＣとして設定するとともに、当該電圧値ＶＬＣの直流電圧をＬＥＤ電球３０各々に対して一定時間連続して供給する。また、直流調光器２０は、例えば、照明状態設定部２２において設定されている照明状態が照明状態ＥＳＲであることを検出した場合には、電圧範囲ＶＺＣＲの中から選択した電圧値を電圧値ＶＬＣとして設定するとともに、当該電圧値ＶＬＣの直流電圧をＬＥＤ電球３０各々に対して一定時間連続して供給する。
【００２４】
すなわち、直流調光器２０は、電源が投入された直後に、所定の複数の照明状態の中からユーザにより選択された一の照明状態を示す直流電圧として、電圧範囲ＶＺＡの下限値よりも低い電圧範囲ＶＺＣ内に属する電圧値ＶＬＣの直流電圧をＬＥＤ電球３０に対して一定時間連続して供給するように構成されている。
【００２５】
直流調光器２０は、電圧値ＶＬＢの直流電圧の供給及び電圧値ＶＬＣの直流電圧の供給を完了した後に、調光卓１０から出力される調光信号により示される調光度を検出するともに、当該検出した調光度を調光用の電圧範囲ＶＺＡ内に属する電圧値ＶＬＡの直流電圧に変換してＬＥＤ電球３０各々へ供給するための動作を行うように構成されている。すなわち、直流調光器２０は、調光卓１０から出力される調光信号により示される調光度に応じた直流電圧として、電圧範囲ＶＺＡ内に属する電圧値ＶＬＡの直流電圧をＬＥＤ電球３０に対して供給するための動作を行うように構成されている。
【００２６】
調光用の電圧範囲ＶＺＡ内に属する各電圧値は、ＬＥＤ電球３０の明るさ（調光度）を変化させる際に用いられる電圧値に相当する。また、調光用の電圧範囲ＶＺＡの下限値は、調光度が０である場合にＬＥＤ電球３０各々へ供給される直流電圧の電圧値に相当する。また、調光用の電圧範囲ＶＺＡの上限値は、調光度が１００％である場合にＬＥＤ電球３０各々へ供給される直流電圧の電圧値に相当する。
【００２７】
なお、本実施形態によれば、電圧範囲ＶＺＡ内において、直流調光器２０からＬＥＤ電球３０各々へ供給される直流電圧の電圧値が、調光卓１０から出力される調光信号により示される調光度に比例して大きくなるものとする。
【００２８】
ＬＥＤ電球３０は、点灯装置３１と、点灯装置３１から供給される駆動電流の電流値に応じた光量で発光するＬＥＤが設けられたＬＥＤ発光部３２と、を有して構成されている。
【００２９】
点灯装置３１は、直流調光器２０から供給される直流電圧に応じてＬＥＤ発光部３２の点灯状態を制御するように構成されている。また、点灯装置３１は、図２に示すように、電圧検出部４１と、マイクロコントローラ４２と、駆動制御部４３と、ＬＥＤ駆動部４４と、を有して構成されている。図２は、実施形態に係る照明システムに含まれるＬＥＤ電球の具体的な構成の一例を説明するための図である。
【００３０】
電圧検出部４１は、例えば、抵抗器等を具備して構成されている。また、電圧検出部４１は、直流調光器２０から供給される直流電圧を検出するとともに、当該検出した直流電圧の大きさに応じた出力電流をマイクロコントローラ４２へ出力するように構成されている。
【００３１】
マイクロコントローラ４２は、電圧検出部４１から出力される出力電流の電流値を検出するとともに、当該検出した電流値に応じた動作を行うように構成されている。また、マイクロコントローラ４２は、ＲＯＭ（Ｒｅａｄ  Ｏｎｌｙ  Ｍｅｍｏｒｙ）４２Ａ及びＲＡＭ（Ｒａｎｄｏｍ  Ａｃｃｅｓｓ  Ｍｅｍｏｒｙ）４２Ｂを有して構成されている。
【００３２】
ＲＯＭ４２Ａには、応答時間設定部２１の操作により設定可能な所定の複数の応答時間各々に対応する複数の調光関数が格納されている。
【００３３】
ＲＯＭ４２Ａに格納されている調光関数は、調光卓１０から出力される調光信号により示される調光度の変化に応じてＬＥＤ駆動部４４からＬＥＤ発光部３２に対して供給される駆動電流の電流値を変化させる際の速度を規定するために用いられる関数として作成されている。
【００３４】
ＲＯＭ４２Ａには、照明状態設定部２２の操作により設定可能な所定の複数の照明状態各々に対応する複数の点灯関数が格納されている。
【００３５】
ＲＯＭ４２Ａに格納されている点灯関数は、ＬＥＤ駆動部４４からＬＥＤ発光部３２に対して供給される駆動電流の供給パターンを規定するための関数として作成されている。
【００３６】
マイクロコントローラ４２は、電圧検出部４１から出力される出力電流の電流値が電圧範囲ＶＺＢ内に属するいずれかの電圧値ＶＬＢに対応する電流値であることを一定時間連続して検出した場合に、ＲＯＭ４２Ａに格納されている複数の調光関数の中から、当該検出した電流値に対応する調光関数ＦＤＸを選択して読み込むとともに、当該読み込んだ調光関数ＦＤＸをＲＡＭ４２Ｂに書き込んで一時的に保持するように構成されている。また、マイクロコントローラ４２は、ＲＡＭ４２Ｂに書き込んだ調光関数ＦＤＸを駆動制御部４３へ出力するように構成されている。
【００３７】
マイクロコントローラ４２は、電圧検出部４１から出力される出力電流の電流値が電圧範囲ＶＺＣ内に属するいずれかの電圧値ＶＬＣに対応する電流値であることを一定時間連続して検出した場合に、ＲＯＭ４２Ａに格納されている複数の点灯関数の中から、当該検出した電流値に対応する点灯関数ＦＬＸを選択して読み込むとともに、当該読み込んだ点灯関数ＦＬＸをＲＡＭ４２Ｂに書き込んで一時的に保持するように構成されている。
【００３８】
マイクロコントローラ４２は、電圧検出部４１から出力される出力電流の電流値が電圧範囲ＶＺＡ内に属する電圧値ＶＬＡに対応する電流値であることを検出した場合に、当該検出した電流値をＲＡＭ４２Ｂに保持されている点灯関数ＦＬＸに対して適用することにより得られた電流値を駆動制御部４３へ出力するように構成されている。
【００３９】
駆動制御部４３は、例えば、制御回路等を有して構成されている。また、駆動制御部４３は、ＬＥＤ発光部３２に対して供給される駆動電流の電流値をマイクロコントローラ４２から出力される調光関数ＦＤＸに基づいて規定される速度で変化させるための制御をＬＥＤ駆動部４４に対して行うように構成されている。
【００４０】
駆動制御部４３は、ＬＥＤ発光部３２に流れている駆動電流の電流値を検出するとともに、当該検出した電流値とマイクロコントローラ４２から出力される電流値とを比較して得られた比較結果に応じた動作を行わせるための制御をＬＥＤ駆動部４４に対して行うように構成されている。
【００４１】
具体的には、駆動制御部４３は、例えば、ＬＥＤ発光部３２に流れている駆動電流に応じて検出した電流値ＩＬＶとマイクロコントローラ４２から出力される電流値ＩＣＶとが異なっているとの比較結果を得た場合に、当該電流値ＩＬＶが当該電流値ＩＣＶと同じ値になるようにＬＥＤ発光部３２に対して供給される駆動電流の電流値を変化させるための制御をＬＥＤ駆動部４４に対して行うように構成されている。また、駆動制御部４３は、例えば、ＬＥＤ発光部３２に流れる電流値ＩＬＶとマイクロコントローラ４２から出力される電流値ＩＣＶとが同じであるとの比較結果を得た場合に、当該電流値ＩＬＶが維持されるようにＬＥＤ発光部３２に対して供給される駆動電流の電流値を固定させるための制御をＬＥＤ駆動部４４に対して行うように構成されている。
【００４２】
ＬＥＤ駆動部４４は、例えば、電圧電流変換回路等を有して構成されている。また、ＬＥＤ駆動部４４は、直流調光器２０から供給される直流電圧を直流電流に変換し、当該変換した直流電流を用いて駆動制御部４３の制御に応じた電流値の直流電流に相当する駆動電流を生成するとともに、当該生成した駆動電流をＬＥＤ発光部３２に対して供給するように構成されている。
【００４３】
続いて、本実施形態の作用について説明する。なお、以降においては、応答時間設定部２１の操作により設定可能な応答時間が１０ｍｓ及び１００ｍｓの２種類である場合を例に挙げて説明を行う。また、以降においては、照明状態設定部２２の操作により設定可能な照明状態が、通常の照明状態に相当する第１の照明状態、ろうそくの光の動きを模擬した照明状態に相当する第２の照明状態、及び、所定の周期で明滅を繰り返す照明状態に相当する第３の照明状態の３種類である場合を例に挙げて説明を行う。また、以降においては、電圧範囲ＶＺＡが４０ボルト以上かつ８０ボルト以下の範囲として設定され、電圧範囲ＶＺＢが１０ボルト以上かつ１９ボルト以下の範囲として設定されているとともに、電圧範囲ＶＺＣが３０ボルト以上かつ３９ボルト以下の範囲として設定されている場合を例に挙げて説明を行う。
【００４４】
ユーザは、直流調光器２０の電源を投入する前に、応答時間設定部２１を操作することにより、ＬＥＤ電球３０各々の応答時間を１０ｍｓ及び１００ｍｓのうちのいずれかに設定する。
【００４５】
直流調光器２０は、応答時間設定部２１において設定されている応答時間が１０ｍｓであることを検出した場合に、例えば、１０ボルト〜１４ボルトの電圧範囲の中から選択した電圧値を電圧値ＶＬＢとして設定するとともに、当該電圧値ＶＬＢの直流電圧をＬＥＤ電球３０各々に対して一定時間連続して供給する。また、直流調光器２０は、応答時間設定部２１において設定されている応答時間が１００ｍｓであることを検出した場合に、例えば、電圧値ＶＬＢを１５ボルト〜１９ボルトの電圧範囲の中から選択した電圧値を電圧値ＶＬＢとして設定するとともに、当該電圧値ＶＬＢの直流電圧をＬＥＤ電球３０各々に対して一定時間連続して供給する。
【００４６】
マイクロコントローラ４２は、電圧検出部４１から出力される出力電流の電流値が１０ボルト〜１４ボルトの電圧範囲内に属するいずれかの電圧値ＶＬＢに対応する電流値であることを一定時間連続して検出した場合に、ＲＯＭ４２Ａに格納されている複数の調光関数の中から、当該検出した電流値に対応する調光関数ＦＤＡを選択して読み込むとともに、当該読み込んだ調光関数ＦＤＡをＲＡＭ４２Ｂに書き込んで一時的に保持する。また、マイクロコントローラ４２は、ＲＡＭ４２Ｂに書き込んだ調光関数ＦＤＡを駆動制御部４３へ出力する。
【００４７】
調光関数ＦＤＡは、例えば、図３に示すように、調光卓１０から出力される調光信号により示される調光度が０から１００％に変更されたタイミングＴＡから、ＬＥＤ電球３０各々の明るさが変更後の調光度に対応する明るさに変化し終わるタイミングＴＢまでの応答時間ＰＢが１０ｍｓとなるような関数として作成されている。また、電圧範囲ＶＺＡが４０ボルト以上かつ８０ボルト以下の範囲として設定されている場合には、調光度０から１００％までの区間における電圧の大きさが４０ボルトとなる。そのため、駆動制御部４３は、例えば、図３の調光関数ＦＤＡがマイクロコントローラ４２から出力された後に、マイクロコントローラ４２がＲＯＭ４２Ａから点灯関数を読み込まない状態で調光度が変更された場合に、直流調光器２０から供給される直流電圧を１ｍｓあたり４ボルトの速度で変換して得られた直流電流を駆動電流としてＬＥＤ発光部３２に順次供給させるための制御をＬＥＤ駆動部４４に対して行う。図３は、実施形態に係る照明システムの動作に用いられる調光関数の一例を説明するための図である。
【００４８】
マイクロコントローラ４２は、電圧検出部４１から出力される出力電流の電流値が１５ボルト〜１９ボルトの電圧範囲内に属するいずれかの電圧値ＶＬＢに対応する電流値であることを一定時間連続して検出した場合に、ＲＯＭ４２Ａに格納されている複数の調光関数の中から、当該検出した電流値に対応する調光関数ＦＤＢを選択して読み込むとともに、当該読み込んだ調光関数ＦＤＢをＲＡＭ４２Ｂに書き込んで一時的に保持する。また、マイクロコントローラ４２は、ＲＡＭ４２Ｂに書き込んだ調光関数ＦＤＢを駆動制御部４３へ出力する。
【００４９】
調光関数ＦＤＢは、例えば、図３に示すように、調光卓１０から出力される調光信号により示される調光度が０から１００％に変更されたタイミングＴＡから、ＬＥＤ電球３０各々の明るさが変更後の調光度に対応する明るさに変化し終わるタイミングＴＣまでの応答時間ＰＣが１００ｍｓとなるような関数として作成されている。また、電圧範囲ＶＺＡが４０ボルト以上かつ８０ボルト以下の範囲として設定されている場合には、調光度０から１００％までの区間における電圧の大きさが４０ボルトとなる。そのため、駆動制御部４３は、例えば、図３の調光関数ＦＤＢがマイクロコントローラ４２から出力された後に、マイクロコントローラ４２がＲＯＭ４２Ａから点灯関数を読み込まない状態で調光度が変更された場合に、直流調光器２０から供給される直流電圧を１ｍｓあたり０．４ボルトの速度で変換して得られた直流電流を駆動電流としてＬＥＤ発光部３２に順次供給させるための制御をＬＥＤ駆動部４４に対して行う。
【００５０】
ユーザは、直流調光器２０の電源を投入する前に、照明状態設定部２２を操作することにより、ＬＥＤ電球３０各々の照明状態を第１の照明状態、第２の照明状態及び第３の照明状態のうちのいずれかに設定する。
【００５１】
直流調光器２０は、照明状態設定部２２において設定されている照明状態が第１の照明状態であることを検出した場合に、例えば、３１ボルト〜３３ボルトの電圧範囲の中から選択した電圧値を電圧値ＶＬＣとして設定するとともに、当該電圧値ＶＬＣの直流電圧をＬＥＤ電球３０各々に対して一定時間連続して供給する。また、直流調光器２０は、照明状態設定部２２において設定されている照明状態が第２の照明状態であることを検出した場合に、例えば、３４ボルト〜３６ボルトの電圧範囲の中から選択した電圧値を電圧値ＶＬＣとして設定するとともに、当該電圧値ＶＬＣの直流電圧をＬＥＤ電球３０各々に対して一定時間連続して供給する。また、直流調光器２０は、照明状態設定部２２において設定されている照明状態が第３の照明状態であることを検出した場合に、例えば、３７ボルト〜３９ボルトの電圧範囲の中から選択した電圧値を電圧値ＶＬＣとして設定するとともに、当該電圧値ＶＬＣの直流電圧をＬＥＤ電球３０各々に対して一定時間連続して供給する。
【００５２】
マイクロコントローラ４２は、電圧検出部４１から出力される出力電流の電流値が３１ボルト〜３３ボルトの電圧範囲内に属するいずれかの電圧値ＶＬＣに対応する電流値であることを一定時間連続して検出した場合には、ＲＯＭ４２Ａに格納されている点灯関数を読み込まない。また、マイクロコントローラ４２は、ＲＯＭ４２Ａに格納された点灯関数を読み込まなかった場合に、当該点灯関数を用いずに動作を行う旨を示す情報をＲＡＭ４２Ｂに書き込んで一時的に保持する。そのため、マイクロコントローラ４２は、ＲＯＭ４２Ａから点灯関数を読み込まない状態で電圧範囲ＶＺＡ内に属する電圧値ＶＬＡに対応する電流値を検出した場合には、当該検出した電流値をそのまま駆動制御部４３へ出力する。
【００５３】
マイクロコントローラ４２は、電圧検出部４１から出力される出力電流の電流値が３４ボルト〜３６ボルトの電圧範囲内に属するいずれかの電圧値ＶＬＣに対応する電流値であることを一定時間連続して検出した場合に、ＲＯＭ４２Ａに格納されている複数の点灯関数の中から、当該検出した電流値に対応する点灯関数ＦＬＡを選択して読み込むとともに、当該読み込んだ点灯関数ＦＬＡをＲＡＭ４２Ｂに書き込んで一時的に保持する。
【００５４】
点灯関数ＦＬＡは、例えば、小数の乱数を所定の周期で出力するような関数として作成されている。そのため、マイクロコントローラ４２は、ＲＯＭ４２Ａから点灯関数ＦＬＡを読み込んだ状態で電圧範囲ＶＺＡ内に属する電圧値ＶＬＡに対応する電流値を検出した場合には、当該検出した電流値に対して点灯関数ＦＬＡにより得られた乱数を乗じた電流値を駆動制御部４３へ出力する。そして、このようなマイクロコントローラ４２の動作によれば、ＬＥＤ駆動部４４からＬＥＤ発光部３２に対して供給される駆動電流の大きさを不規則に変化させることができるとともに、ＬＥＤ発光部３２に設けられたＬＥＤを揺らめくように発光させることができる。
【００５５】
マイクロコントローラ４２は、電圧検出部４１から出力される出力電流の電流値が３７ボルト〜３９ボルトの電圧範囲内に属するいずれかの電圧値ＶＬＣに対応する電流値であることを一定時間連続して検出した場合に、ＲＯＭ４２Ａに格納されている複数の点灯関数の中から、当該検出した電流値に対応する点灯関数ＦＬＢを選択して読み込むとともに、当該読み込んだ点灯関数ＦＬＢをＲＡＭ４２Ｂに書き込んで一時的に保持する。
【００５６】
点灯関数ＦＬＢは、例えば、０及び１を所定の周期で繰り返し出力するような関数として作成されている。そのため、マイクロコントローラ４２は、ＲＯＭ４２Ａから点灯関数ＦＬＢを読み込んだ状態で電圧範囲ＶＺＡ内に属する電圧値ＶＬＡに対応する電流値を検出した場合には、当該検出した電流値に対して点灯関数ＦＬＢにより得られた乱数を乗じた電流値を駆動制御部４３へ出力する。そして、このようなマイクロコントローラ４２の動作によれば、ＬＥＤ駆動部４４からＬＥＤ発光部３２に対して供給される駆動電流の大きさを間欠的に変化させることができるとともに、ＬＥＤ発光部３２に設けられたＬＥＤを所定の周期で明滅させることができる。
【００５７】
すなわち、ＬＥＤ電球３０は、直流調光器２０から供給される電圧値ＶＬＣの直流電圧を一定時間連続して検出した場合に、所定の複数の照明状態の中からユーザにより選択された一の照明状態に応じて明るさを時間的に変化させるための一の点灯関数を設定するとともに、電圧値ＶＬＡ及び当該一の点灯関数に応じた明るさで発光するための動作を行う。また、ＬＥＤ電球３０は、直流調光器２０から供給される電圧値ＶＬＣの直流電圧を一定時間連続して検出した場合に、ＲＯＭ４２Ａに格納された複数の点灯関数の中から、ユーザにより選択された一の照明状態に応じて明るさを時間的に変化させるための一の点灯関数を選択するための動作を行う。
【００５８】
以上に述べたように、本実施形態によれば、ＬＥＤ電球３０各々の照明状態を所定の複数の状態のうちの一の状態に設定することができるとともに、当該一の状態を示す直流電圧として、調光用の電圧範囲ＶＺＡとは異なる電圧範囲ＶＺＣの中から選択された電圧値ＶＬＣの直流電圧をＬＥＤ電球３０へ供給することができる。そのため、本実施形態によれば、通常の照明状態と、演出等に用いられる特殊な照明状態と、を簡便に切り替えることができる。
【００５９】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６０】
１  照明システム
１０  調光卓
２０  直流調光器
２１  応答時間設定部
２２  照明状態設定部
３０  ＬＥＤ電球
３１  点灯装置
３２  ＬＥＤ発光部
４１  電圧検出部
４２  マイクロコントローラ
４３  駆動制御部
４４  ＬＥＤ駆動部
【図１】
2020161297.tif 000003
【図２】
2020161297.tif 000004
【図３】
2020161297.tif 000005